(57)【特許請求の範囲】
【請求項１】
幅方向に複数の端子収容孔が配列されたハウジングと、
前記端子収容孔の一端側開口から挿入され、該端子収容孔に収容保持されるほぼ角筒状の端子金具と、
前記端子収容孔に対し該端子収容孔の幅方向一方側に偏倚するかたちで該端子収容孔の上壁又は底壁と一体に型成形され、前記端子金具の挿入に伴い弾性復帰して前記端子金具の上部又は下部に有する係止部に係止することで前記端子金具の後退移動を規制するランスと、
前記端子収容孔の下端側に、該端子収容孔の一側壁の一部を窪ませるかたちで該端子収容孔に対して幅方向に偏倚形成され、前記ランスの型成形時における成形型の離脱に供する型抜き孔と、
隣接する前記端子収容孔の隔壁を通過するように前記ハウジングの上壁又は底壁側から穿設され、両側がそれぞれ隣接する前記端子収容孔と連通可能に構成されたリテーナ挿入孔と、
前記リテーナ挿入孔に挿入されることで、幅方向一方側が隣接する一方の端子収容孔の側部に、他方側が隣接する他方の端子収容孔の側部にそれぞれ臨むリテーナと、
前記端子金具の一側部に突設され、前記リテーナの前記一方側に係止することにより前記端子金具の後退移動を規制する係止突起と、
を備え、
前記リテーナが前記リテーナ挿入孔に挿入されることによって、前記リテーナの一方側が前記隣接する一方の端子収容孔に収容される端子金具の前記係止突起に係止することで前記端子金具の後退移動を規制すると共に、前記リテーナの他方側が前記隣接する他方の端子収容孔に収容される端子金具の他側部に当接することで前記端子金具の幅方向移動を規制することを特徴とするコネクタ。
【請求項２】
前記端子収容孔の他側壁は、前記係止突起と係合することにより前記端子金具の挿入を案内するガイド溝を有することを特徴とする請求項１に記載のコネクタ。
【発明の詳細な説明】
【技術分野】
【０００１】
本発明は、例えば自動車に配設するワイヤハーネス等の接続に用いられるコネクタに関する。
【背景技術】
【０００２】
従来のコネクタとしては、以下の特許文献１に記載されているものが知られている。
【０００３】
概略を説明すれば、このコネクタ１００は、図１３（ａ）に示すように、ボックス状のハウジング１０１に複数の端子収容孔１０２が貫通形成され、該各端子収容孔１０２の内部にそれぞれ角筒状の雌端子金具１０３が収容保持されることによって構成される。
【０００４】
そして、前記コネクタ１００では、前記各雌端子金具１０３が前記各端子収容孔１０２の一端開口１０２ａから挿入され、該挿入に伴い撓み変形した図示外のランスが弾性復帰して雌端子金具１０３の外側部に有する係止部に係止することで、第１次的に抜け止め保持されている。
【０００５】
さらに、前記コネクタ１００では、前記各端子収容孔１０２の側部に該各端子収容孔１０２に対し直交するかたちで設けられた複数のリテーナ挿入孔１０５に櫛刃状の複数の保持片部１０７を有するリテーナ部材１０６が嵌挿され、前記各保持片部１０７がそれぞれ前記各雌端子金具１０３に設けられた係止突部１０８に係止することで、第２次的に抜け止め保持されている。
【先行技術文献】
【特許文献】
【０００６】
【特許文献１】特開平１０−２４１７７３号公報
【発明の概要】
【発明が解決しようとする課題】
【０００７】
ところで、近年では、前記コネクタ１００の小型化の一環として、前記各端子収容孔１０２の幅方向間隔の短縮化が望まれている。この短縮化を図るにあたっては、前記各端子収容孔１０２の幅方向寸法の短縮と、前記各端子収容孔１０２間の隔壁の厚さ幅の縮小と、が考えられる。
【０００８】
ここで、前記各端子収容孔１０２間の隔壁の厚さ幅は、使用する樹脂材料やハウジング１０１の強度等によってほぼ決まってしまい、縮小可能な自由度は低いため、結果的に、前記各端子収容孔１０２の幅方向寸法の短縮化を図ることとなる。
【０００９】
しかし、前記各端子収容孔１０２の幅方向寸法の短縮についても、この幅方向寸法の短縮を推し進めていくと、雌端子金具１０３の接地面幅が小さくなってしまうことから、図１３（ｂ）に示すように、ランス１１０の幅方向位置を偏倚させて前記接地面Ｇの幅を稼ぐ必要がある。
【００１０】
ところが、前記ランス１１０の幅方向位置を偏倚させた場合、このランス１１０の偏倚に伴って、該ランス１１０の成形に係る型抜き孔１１１も偏倚してしまう。すると、この型抜き孔１１１の偏倚配置によって、前記各端子収容孔１０２の側壁に前記型抜き孔１１１を構成する凹溝１１１ａが雌端子金具１０３の挿入方向に沿って形成されてしまう。
【００１１】
これにより、前記各端子収容孔１０２内において雌端子金具１０３の前記凹溝１１１ａ側への傾倒を招来し、かかる傾倒が前記各端子収容孔１０２内における雌端子金具１０３のがたつきの原因となってしまうおそれがあった。
【００１２】
本発明は、前記従来の技術的課題に鑑みて案出されたもので、雌端子金具のがたつきを抑制しつつ各端子収容孔の幅方向間隔を短縮し得るコネクタを提供することを目的としている。
【課題を解決するための手段】
【００１３】
本発明は、幅方向に複数の端子収容孔が配列されたハウジングと、前記端子収容孔の一端側開口から挿入され、該端子収容孔に収容保持されるほぼ角筒状の端子金具と、前記端子収容孔に対し該端子収容孔の幅方向一方側に偏倚するかたちで該端子収容孔の上壁又は底壁と一体に型成形され、前記端子金具の挿入に伴い弾性復帰して前記端子金具の上部又は下部に有する係止部に係止することで前記端子金具の後退移動を規制するランスと、前記端子収容孔の下端側に、該端子収容孔の一側壁の一部を窪ませるかたちで該端子収容孔に対して幅方向に偏倚形成され、前記ランスの型成形時における成形型の離脱に供する型抜き孔と、隣接する前記端子収容孔の隔壁を通過するように前記ハウジングの上壁又は底壁側から穿設され、両側がそれぞれ隣接する前記端子収容孔と連通可能に構成されたリテーナ挿入孔と、前記リテーナ挿入孔に挿入されることで、幅方向一方側が隣接する一方の端子収容孔の側部に、他方側が隣接する他方の端子収容孔の側部にそれぞれ臨むリテーナと、前記端子金具の一側部に突設され、前記リテーナの前記一方側に係止することにより前記端子金具の後退移動を規制する係止突起と、を備え、前記リテーナが前記リテーナ挿入孔に挿入されることによって、前記リテーナの一方側が前記一方の端子収容孔に収容される端子金具の前記係止突起に係止することで前記端子金具の後退移動を規制すると共に、前記リテーナの他方側が前記他方の端子収容孔に収容される端子金具の他側部に当接することで前記端子金具の幅方向移動を規制することを特徴としている。
【００１４】
このように、端子収容孔の幅方向寸法の短縮化のためランスを偏倚配置し、この偏倚配置に伴って型抜き孔がオフセット配置されて端子収容孔の一方側の側壁が窪み形成されたとしても、この一方側の側壁からはリテーナ部材の他方側が臨むことで端子金具の幅方向移動を規制することになるため、前記端子収容孔の一側壁の窪み形成に起因して生ずる端子金具の傾倒（がたつき）を抑制することができる。
【００１５】
しかも、本発明では、上記端子金具の幅方向移動の規制に際して、従来のリテーナの両側をそれぞれ隣接する端子収容孔内に臨ませる構成としたことで、前記端子金具の後退規制（抜け止め）と前記端子金具の傾倒規制（がたつき防止）とを、他の構成部材の付加を伴うことなく、簡素な構造をもって実現できるメリットがある。
【００１６】
ここで、本発明の好ましい一の態様として、前記端子収容孔の他側壁は、前記係止突起と係合することにより前記端子金具の挿入を案内するガイド溝を有することが望ましい。
【００１７】
このように、係止突起を介して端子金具の挿入をガイドすることにより、該端子金具の円滑な挿入に供され、コネクタの組立作業をより良好なものとすることができる。
【発明の効果】
【００１８】
本発明によれば、端子金具のがたつきを抑制しつつ、端子収容孔の幅方向間隔を短縮することができる。
【図面の簡単な説明】
【００１９】
【図１】本発明に係るコネクタの分解断面図である。
【図２】図１に示すハウジングの前方から見た斜視図である。
【図３】図１に示すハウジングの後方から見た斜視図である。
【図４】図２の要部断面図である。
【図５】図４のＡ−Ａ線に沿う断面斜視図である。
【図６】図５のＤ方向から見た矢視図である。
【図７】図４のＢ−Ｂ線に沿う断面斜視図である。
【図８】図７のＥ方向から見た矢視図である。
【図９】図４のＣ−Ｃ線に沿う断面斜視図である。
【図１０】図９のＦ方向から見た矢視図である。
【図１１】図１に示す雌端子金具の斜視図である。
【図１２】図１に示すリテーナ部材の斜視図である。
【図１３】（ａ）は従来のコネクタの縦断面図、（ｂ）は従来のコネクタの要部を拡大した横断面図である。
【発明を実施するための形態】
【００２０】
以下、本発明に係るコネクタの実施形態を図面に基づいて説明する。なお、下記の実施形態では、当該コネクタを、自動車の電気機器類の接続に供するワイヤハーネス接続用コネクタに適用したものである。また、以下の説明では、便宜上、図１中のＸ軸方向を前後方向（Ｘ軸正方向を前）と、Ｙ軸方向を上下方向（Ｙ軸正方向を上）として説明する。
【００２１】
すなわち、このコネクタ１は、いわゆる雌コネクタであって、図１〜図３に示すように、前後方向に沿って貫通する複数のキャビティである端子収容孔２０が設けられたハウジングとしての雌ハウジング１０と、図示外の電線の端末に圧着され、前記各端子収容孔２０に挿入収容される複数の端子金具である雌端子金具３０と、該各雌端子金具３０の前記各端子収容孔２０内において保持する保持手段と、から主として構成されている。
【００２２】
前記ハウジング１０は、図２、図３に示すように、合成樹脂材料によってほぼボックス状に形成され、ほぼ平坦状の底壁１１と、該底壁１１の両側縁から一体に立ち上がった１対の側壁１２，１２と、該両側壁１２，１２の上端縁に一体に設けられた上壁１３と、を有し、前記底壁１１と前記上壁１３との間、前記両側壁１２、１２の間にそれぞれ複数の横隔壁１４及び縦隔壁１５が設けられることにより、上下方向及び左右方向にそれぞれ前記複数の端子収容孔２０が隔成されている。
【００２３】
前記各端子収容孔２０は、図４〜図１０に示すように、横断面ほぼ矩形状を呈し、一端側開口である後端開口２０ａからほぼ中間位置まで穿設され、雌端子金具３０の後端側（後述する電線接続部３１）の収容に供する第１収容部２１と、該第１収容部２１の前端側から前端開口２０ｂまで上下拡幅状に穿設され、雌端子金具３０の前端側（後述する端子接続部３２）の収容に供する第２収容部２２と、から主として構成されている。
【００２４】
ここで、前記第２収容部２２の下端側には、前記各雌端子金具３０を係止固定するランス４０の成形型の離脱に供する型抜き孔２３が前端開口２０ｂ側より穿設されることによって、前記上下拡幅状に形成されている。そして、前記型抜き孔２３は、図４、図５に示すように、後述するランス４０の偏移配置に合わせて、端子収容孔２０に対して幅方向（右側）へ若干オフセットするかたちで設けられていて、かかるオフセット形成によって、当該端子収容孔２０の一側壁である右側壁２０ｄには、前記オフセット量の分だけ窪む溝状の凹部２３ａが、内部軸方向に沿って凹設されている。
【００２５】
なお、前記型抜き孔２３は、後述するランス４０の成形型の離脱に供するほか、該ランス４０の下方への撓み変形を受容する空間を確保すると共に、図示外の治具の挿入に供し、該治具によりランス４０の先端凸部４３（図４参照）を下方へと押圧することで該ランス４０の係止固定を解除することを可能にしている。
【００２６】
また、前記各端子収容孔２０の他側壁である左側壁２０ｃには、図４、図５に示すように、後述する係止突起３６と係合することによって雌端子金具３０の挿入を案内（ガイド）する横断面ほぼ矩形状のガイド溝２４が、端子収容孔２０の後端より第２収容部１３の途中位置まで雌端子金具３０の挿入方向に沿って切欠形成されている。
【００２７】
また、前記雌ハウジング１０の底壁１１には、図１〜図３に示すように、後述するリテーナ部材５０の接続基部５１を受容する溝状の基部受容部１６が長手方向（左右方向）に沿って凹設されると共に、該基部受容部１６には、後述するリテーナ部材５０の各保持片部５２の挿入に供する横断面ほぼ矩形状の複数のリテーナ挿入孔１７が、雌ハウジング１０の上壁１３まで前記各縦隔壁１５に沿って貫通形成されている。
【００２８】
さらに、前記各縦隔壁１５には、図５、図６に示すように、幅方向一方側（図６中の右側）に、前記各端子収容孔２０（前記ガイド溝２４）と前記各リテーナ挿入孔１７とを連通する第１連通部２５が開口形成されると共に、幅方向他方側に、前記各端子収容孔２０と前記各リテーナ挿入孔１７とを連通する第２連通部２６が開口形成されている。すなわち、かかる構成から、左右に隣接する各端子収容孔２０のうち一方側の端子収容孔２０Ｒが、前記第１連通部２５を通じて前記各リテーナ挿入孔１７と連通可能に構成されると共に、他方側の端子収容孔２０Ｌが、前記第２連通部２６を通じて前記各リテーナ挿入孔１７と連通可能に構成されている。
【００２９】
前記第１連通部２５は、図６〜図８に示すように、高さ方向寸法（上下方向幅）Ｌ１がガイド溝２４の溝幅Ｌ２よりも若干大きく設定され、該ガイド溝２４の両端に跨る矩形窓状に形成されたもので、前記各雌端子金具３０が正規に挿入された状態で後述する係止突起３６の後端側へと臨むように開口形成されている。すなわち、かかる構成により、後述する保持片部５２の幅方向一方側（後述する係止凸部５４）を後述する係止突起３６の後端側へと臨ませることが可能となっている。
【００３０】
前記第２連通部２６は、図６、図９、図１０に示すように、前記各端子収容孔２０の上下方向に亘ってほぼ帯状に形成されたもので、前記各雌端子金具３０が正規に挿入された状態で後述する端子接続部３２の右側部３２ｂへと臨むように開口形成されている。すなわち、かかる構成により、後述する保持片部５２の幅方向他方側（後述する当接部５５）を後述する端子接続部３２の右側部３２ｂへと当接させることが可能となっている。
【００３１】
前記雌端子金具３０は、図４〜図１１に示すように、例えば銅などの導電性材料からなる金属板をプレス成形によって曲折等して形成されるもので、長手方向の一端側が、前記図示外の電線の端末に圧着されて該電線との電気接続に供する電線接続部３１として構成されると共に、他端側が、ほぼ角筒状に形成されて相手側となる図示外の雄端子金具との接続に供する端子接続部３２として構成されている。
【００３２】
そして、前記端子接続部３２の内部には、図４に示すように、底壁３２ｃの内側部に片持ち支持されることで撓み変形可能に構成された接続片３３が設けられ、前記図示外の雄端子金具が上壁３２ｄと前記接続片３３との間に挟持されることによって、これらの両端子金具が電気的に接続されるようになっている。
【００３３】
また、前記端子接続部３２の底壁３２ｃの後端側には、図７〜図１１に示すように、後述するランス４０の先端４２を受容可能に構成されたランス受容部３４が開口形成されていて、該ランス受容部３４によって、後述のような弾性復帰したランス４０の先端４２を受容することが可能となっている。すなわち、後述するランス４０の弾性復帰により該ランス４０の先端４２が前記ランス受容部３４の前端縁に設けられた係止部３５に係止することで、前記図示外の電線に引っ張り力（外力）が作用したときの雌端子金具３０の後退移動が規制され、これによって、雌端子金具３０の第１次的な抜け止めが図られている。
【００３４】
さらに、前記端子接続部３２の左側部３２ａには、図４、図６に示すように、前記ガイド溝２４に係合すると共に、該係合に伴って後述するリテーナ部材５０と係止可能に構成され、該係止構造をもって雌端子金具３０の係止保持に供する係止突起３６が突設されている。この係止突起３６は、平面視ほぼ矩形状となるように形成され、前記ガイド溝２４に係合した状態で後端面が後述するリテーナ部材５０の各保持片部５２（係止凸部５４）の前端面と当接することで、前記図示外の電線に引っ張り力（外力）が作用したときの雌端子金具３０の後退移動が規制され、これによって、雌端子金具３０の第２次的な抜け止めが図られている。
【００３５】
前記保持手段は、図４〜図１０に示すように、前記各端子収容孔２０の内部に撓み変形可能に一体形成され、雌端子金具３０の係止部３５に係止することにより該雌端子金具３０の第１次的な係止保持に供するランス４０と、雌ハウジング１０の前記各リテーナ挿入孔１７内に嵌挿され、前記第１連通部２５を通じて端子収容孔２０内へと臨んだ一側部（後述する係止凸部５４）に係止することにより雌端子金具３０の第２次的な係止保持に供すると共に、前記第２連通部２６を通じて端子収容孔２０内に臨んだ他側部（後述する当接部５５）と当接することによって雌端子金具３０の姿勢保持に供するリテーナ部材５０と、から構成される。
【００３６】
前記ランス４０は、前記第２収容部２２の内端部における底壁１１又は横隔壁１４より前端側へ向けて斜め上方に切り起こすかたちで設けられ、前記底壁１１又は横隔壁１４に片持ちに支持される基端部４１を支点として上下方向に撓み変形可能に構成されている。また、このランス４０は、図４に示すように、端子収容孔２０に対し幅方向（右側）に偏移（オフセット）するかたちで設けられ、かかる偏移配置により端子収容孔２０内における雌端子金具３０の接地面Ｇを幅方向一方側に集約することで、前述したような端子収容孔２０の幅方向寸法についての最大限の縮小を可能にしている。
【００３７】
前記リテーナ部材５０は、図１、図１２に示すように、合成樹脂材料により一体成形されてなるもので、雌ハウジング１０の基部受容部１６内に受容されるほぼ板状の接続基部５１と、該接続基部５１の一側部より長手方向に沿って並列に整列するほぼ櫛刃状に立設され、前記雌端子金具３０の第２次的な係止保持に供する横断面ほぼ矩形状をなすリテーナとしての複数の保持片部５２と、前記接続基部５１の長手方向ほぼ中間位置に立設され、雌ハウジング１０の底壁１１に穿設された係止孔１８に係入することによって該雌ハウジング１０への取付固定に供する係止爪５３と、を備える。
【００３８】
前記各保持片部５２の幅方向一方側には、図５〜図７に示すように、前記第１連通部２５を通じて前記各端子収容孔２０内へと臨むことで前記雌端子金具３０を第２次的に係止保持する複数の係止凸部５４が、長手方向に所定の間隔をもって突設されている。
【００３９】
この係止凸部５４は、図６〜図８、図１２に示すように、横断面ほぼ矩形状となる角柱状に形成されたもので、幅方向寸法（上下方向幅）Ｌ３が第１連通部２５に合わせてガイド溝２４の溝幅Ｌ２よりも若干大きく設定されると共に、高さ方向寸法（左右方向幅）Ｌ４がガイド溝２４の溝深さＬ５よりも僅かに小さく設定されている。すなわち、この係止凸部５４は、前記各リテーナ挿入孔１７に前記各保持片部５２が挿入された状態でガイド溝２４を堰き止めるように雌端子金具３０の係止突起３６と係止することによって、該雌端子金具３０の後退移動を規制することが可能となっている。
【００４０】
他方、前記各保持片部５２の幅方向他方側には、図４〜図６、図９に示すように、前記第２連通部２６を通じて前記各端子収容孔２０の右側壁２０ｄとほぼ面一となるかたちで該各端子収容孔２０内へと臨むことで前記雌端子金具３０の姿勢保持に供する当接部５５が、長手方向に沿ってほぼ平坦状に形成されている。すなわち、この当接部５５は、前記各リテーナ挿入孔１７に前記各保持片部５２が挿入された状態で前記各端子収容孔２０内においてほぼ直立状態にある雌端子金具３０の端子接続部３２の右側部３２ｂに当接することによって、該雌端子金具３０の幅方向移動（傾倒）を規制することが可能となっている。
【００４１】
以上のように、前記コネクタ１では、リテーナ部材５０の各保持片部５２が雌ハウジング１０のリテーナ挿入孔１７に挿入されることで、前記幅方向一方側の係止凸部５４が雌端子金具３０の係止突起３６と係止して該雌端子金具３０の後退移動を規制することと、前記幅方向他方側の当接部５５が雌端子金具３０の端子接続部３２の右側部３２ｂに当接して該雌端子金具３０の幅方向移動（傾倒）を規制することと、が同時に行えるようになっている。
【００４２】
以下、本実施形態に係る前記コネクタ１の組立方法について、図１、図５〜図１０に基づいて説明する。
【００４３】
前記ハウジング１０の各端子収容孔２０に、電線接続部２１が予め図示外の各電線端末に圧着された雌端子金具３０を、端子接続部３２側から各端子収容孔２０の後端開口２０ａに挿入する。この際、前記各雌端子金具３０の係止突起３６を各端子収容孔２０のガイド溝２４に係合させて、該ガイド溝２４のガイドに従って各雌端子金具３０を挿入することで、該各雌端子金具３０をスムーズに挿入することができる（図６参照）。
【００４４】
続いて、前記各雌端子金具３０の進入の途中、該各雌端子金具３０の先端がランス４０の上端部へと当接したところで、該各雌端子金具３０をさらに押し込むことによって、端子接続部３２の底壁３２ｃがランス４０を下方へ押し退けるようにして撓み変形させ、そのまま当該撓み変形したランス４０の上端部に摺接しながら進入を続ける。
【００４５】
そして、前記各端子接続部３２の先端が正規の挿入位置（挿入完了位置）に到達したところで、前記撓み変形により発生した弾性力に基づいてランス４０が弾性復帰して、該ランス４０の先端４２がランス受容孔３４内に受容されると共に、雌端子金具３０の係止部３５がランス４０の先端４２に係止することにより、前記各雌端子金具３０が前記挿入完了位置のまま保持され、該各雌端子金具３０の後退移動が規制されることとなる。
【００４６】
その後、前記雌ハウジング１０の底壁１１側から、前記各リテーナ挿入孔１７に各保持片部５２を挿入すると共に、前記基部受容部１６内に接続基部５１を受容させて、雌ハウジング１０の前記図示外の係止孔に係止爪５３を係止させることにより、リテーナ部材５０を雌ハウジング１０に取付固定し、前記コネクタ１の組立が完了する。
【００４７】
こうして、前記各リテーナ挿入孔１７内に各保持片部５２が挿入されると、図５、図６に示すように、該各保持片部５２の幅方向一方側の係止凸部５４が、前記第１連通部２５を通じて左右に隣り合う端子収容孔２０Ｌ，２０Ｒのうち一方側（右側）の端子収容孔２０Ｒ内へとガイド溝２４を堰き止めるように臨んで、雌端子金具３０の係止突起３６と係止することとなる。これにより、前記各雌端子金具３０が前記挿入完了位置のまま保持され、該各雌端子金具３０の後退移動が規制されることとなる。
【００４８】
また、同時に、前記各保持片部５２の幅方向他方側の前記当接部５５が、前記第２連通部２６を通じて前記左右に隣り合う端子収容孔２０Ｌ，２０Ｒのうち他方側（左側）の端子収容孔２０Ｌ内へと臨んで、雌端子金具３０の端子接続部３２の右側部３２ｂに当接することとなる。これにより、前記各雌端子金具３０が前記挿入完了状態の直立した姿勢のまま保持され、該各雌端子金具３０の幅方向移動（傾倒）が規制されることとなる。
【００４９】
このように、本実施形態に係るコネクタ１によれば、端子収容孔２０の幅方向寸法の短縮化のためにランス４０を偏倚配置することによって当該端子収容孔２０の右側壁２０ｄに前記型抜き孔２３の偏倚配置に基づく凹部２３ａが形成されても、当該端子収容孔２０の右側壁２０ｄより第２連通部２６を通じて当該端子収容孔２０内に臨む保持片部５２の当接部５５によって雌端子金具３０の幅方向移動（傾倒）を規制することができる。これにより、前記凹部２３ａの形成に起因して発生する雌端子金具３０のがたつきを抑制しつつ、前記各端子収容孔２０の幅方向間隔を短縮することができる。
【００５０】
しかも、前記コネクタ１では、上記雌端子金具３０の幅方向移動の規制に際して、従来のリテーナ部材の両側をそれぞれ隣接する端子収容孔２０Ｌ，２０Ｒへと臨ませる構成としたことで、他の構成部材の付加を伴うことなく、リテーナ部材の幅方向一方側による雌端子金具３０の後退規制（抜け止め）と、他方側による雌端子金具３０の傾倒規制（がたつき防止）とを、簡素な構造をもって実現できるメリットがある。
【００５１】
また、前記コネクタ１の場合、前記各端子収容孔２０の左側壁２０ｃに、雌端子金具３０の係止突起３６と係合可能なガイド溝２４が設けられていることから、このガイド溝２４により、雌端子金具３０の円滑な挿入に供され、コネクタ１の組立作業をより良好なものとすることができる。
【００５２】
他方、前記各端子収容孔２０の右側壁２０ｄについては、前記各端子収容孔２０の後端開口２０ａの開口縁を、雌端子金具３０の係止突起３６と干渉するように構成して、前記各端子収容孔２０の左側壁２０ｃのみが前記係止突起３６を受容可能に構成されていることから、該係止突起３６を利用した雌端子金具３０の左右の逆組み付けを防止することができる。これにより、コネクタ１の組立作業をより一層良好かつ適確なものとすることができる。
【００５３】
本発明は、前記実施形態において例示した構成に限定されるものではなく、例えば雌ハウジング１０や雌端子金具３０、保持片部５２の具体的構成など、本発明の趣旨を逸脱しない範囲内で前記コネクタ１の構成や仕様等に応じて自由に変更することができる。
【００５４】
また、本実施形態では、端子金具として雌端子金具３０を例に説明したが、端子金具としては勿論、雄端子金具を使用することも可能である。
【符号の説明】
【００５５】
１…コネクタ
１０…雌ハウジング（ハウジング）
１７…リテーナ挿入孔
２０…端子収容孔
２３…型抜き孔
３０…雌端子金具（端子金具）
３６…係止突起
４１…ランス
５２…保持片部（リテーナ）
【図１】
0006497989.tif 000002
【図２】
0006497989.tif 000003
【図３】
0006497989.tif 000004
【図４】
0006497989.tif 000005
【図５】
0006497989.tif 000006
【図６】
0006497989.tif 000007
【図７】
0006497989.tif 000008
【図８】
0006497989.tif 000009
【図９】
0006497989.tif 000010
【図１０】
0006497989.tif 000011
【図１１】
0006497989.tif 000012
【図１２】
0006497989.tif 000013
【図１３】
0006497989.tif 000014